(57)【要約】【課題】制御していない端末装置からの信号による受信特性の悪化を抑制したい。【解決手段】制御チャネル割当部３６は、複数のサブチャネルの周波数多重によってタイムスロットを形成しながら、複数のタイムスロットの時間多重によって形成されたフレームが規定されており、所定のフレームを形成した複数のタイムスロットのうちのいずれかを特定した後に、特定したタイムスロットを形成した複数のサブチャネルのうちのいずれかを制御信号に割り当てる。無線リソース割当部３８は、特定したタイムスロットのうち、制御信号に割り当てたサブチャネル以外のサブチャネルを端末装置に優先的に割り当てる。【選択図】図４
2008227769.tif 000002
【特許請求の範囲】
【請求項１】
複数のサブチャネルの周波数多重によってタイムスロットを形成しながら、複数のタイムスロットの時間多重によって形成されたフレームが規定されており、複数のフレームを単位にして、各フレームを形成した複数のタイムスロットのそれぞれの使用状況を調査する調査部と、
前記調査部において調査した使用状況をもとに、使用状況の少ないタイムスロットを特定する特定部と、
前記特定部において特定したタイムスロットであって、かつ複数のフレームの間隔にて出現すべきフレームに含まれたタイムスロットを形成した複数のサブチャネルのうちのいずれかを制御信号に割り当てる割当部と、
を備えることを特徴とする基地局装置。
【請求項２】
前記調査部は、タイムスロットの使用状況の調査として、複数のタイムスロットのそれぞれでの受信電力を測定し、
前記特定部は、使用状況の少ないタイムスロットとして、前記調査部での測定結果をもとに、受信電力の低いタイムスロットを特定することを特徴とする請求項１に記載の基地局装置。
【請求項３】
複数のサブチャネルの周波数多重によってタイムスロットを形成しながら、複数のタイムスロットの時間多重によって形成されたフレームが規定されており、複数のフレームを単位にして、各フレームを形成した複数のタイムスロットのそれぞれの使用状況を調査するステップと、
調査した使用状況をもとに、使用状況の少ないタイムスロットを特定するステップと、
特定したタイムスロットであって、かつ複数のフレームの間隔にて出現すべきフレームに含まれたタイムスロットを形成した複数のサブチャネルのうちのいずれかを制御信号に割り当てるステップと、
を備えることを特徴とする割当方法。
【請求項４】
複数のサブチャネルの周波数多重によってタイムスロットを形成しながら、複数のタイムスロットの時間多重によって形成されたフレームが規定されており、複数のフレームを単位にして、各フレームを形成した複数のタイムスロットのそれぞれの使用状況を調査するステップと、
調査した使用状況をもとに、使用状況の少ないタイムスロットを特定するステップと、
特定したタイムスロットであって、かつ複数のフレームの間隔にて出現すべきフレームに含まれたタイムスロットを形成した複数のサブチャネルのうちのいずれかを制御信号に割り当てるステップと、
をコンピュータに実行させるプログラム。
【発明の詳細な説明】
【技術分野】
【０００１】
本発明は、割当技術に関し、特に端末装置にチャネルを割り当てる割当方法およびそれを利用した基地局装置に関する。
【背景技術】
【０００２】
無線通信システムにおいて、基地局装置が複数の端末装置を接続する場合がある。基地局装置が複数の端末装置を接続する際の形態のひとつが、ＴＤＭＡ／ＴＤＤである。ＴＤＭＡ／ＴＤＤでは、複数のタイムスロットによってフレームが形成されており、さらに複数のフレームが連続して配置される。また、ひとつのフレームに含まれた複数のタイムスロットの一部が上り回線のために使用され、残りのタイムスロットが下り回線のために使用される。このようなＴＤＭＡ／ＴＤＤを使用した先行技術では、ひとつのフレームのうちの上り回線のために使用されるタイムスロットの数と、下り回線のために使用されるタイムスロットの数とが、トラヒックの違いに応じて設定される（例えば、特許文献１参照。）。
【特許文献１】特開平８−１８６５３３号公報
【発明の開示】
【発明が解決しようとする課題】
【０００３】
一般的に、無線通信において、限りある周波数資源の有効利用が望まれている。特に、通信速度の高速化に伴い、その要請はさらに高まっている。この要請に応えるための技術のひとつが、ＯＦＤＭＡ（Ｏｒｔｈｏｇｏｎａｌ  Ｆｒｅｑｕｅｎｃｙ  Ｄｉｖｉｓｉｏｎ  Ｍｕｌｔｉｐｌｅ  Ａｃｃｅｓｓ）方式であり、これは、前述のＴＤＭＡ／ＴＤＤと組合せ可能である。ＯＦＤＭＡとは、ＯＦＤＭを利用しながら複数の端末装置を周波数多重する技術である。このようなＯＦＤＭＡでは、複数のサブキャリアによってサブチャネルが形成されており、複数のサブチャネルによってマルチキャリア信号が形成されている。また、基地局装置は、少なくともひとつのサブチャネルを端末装置に割り当てることによって、端末装置との通信を実行する。
【０００４】
上り回線では、複数の端末装置のそれぞれから基地局装置へ信号が送信されるが、基地局装置では、複数の端末装置からの信号に対して、一括したＦＦＴを実行する。そのため、基地局装置に受信される各信号の強度には、同様の値であることが要求される。基地局装置は、複数の端末装置のそれぞれに対して送信電力制御を実行させるように、複数の端末装置のそれぞれを制御する。一方、複数の基地局装置において同一の周波数帯が使用される場合、基地局装置によって受信される信号には、通信していない、つまり制御していない端末装置から送信されたものも含まれる。基地局装置は、その信号の強度を制御できないので、その信号の強度が大きくなった場合、受信特性の悪化の可能性がある。
【０００５】
本発明はこうした状況に鑑みてなされたものであり、その目的は、制御していない端末装置からの信号による受信特性の悪化を抑制する割当技術を提供することにある。
【課題を解決するための手段】
【０００６】
上記課題を解決するために、本発明のある態様の基地局装置は、複数のサブチャネルの周波数多重によってタイムスロットを形成しながら、複数のタイムスロットの時間多重によって形成されたフレームが規定されており、複数のフレームを単位にして、各フレームを形成した複数のタイムスロットのそれぞれの使用状況を調査する調査部と、調査部において調査した使用状況をもとに、使用状況の少ないタイムスロットを特定する特定部と、特定部において特定したタイムスロットであって、かつ複数のフレームの間隔にて出現すべきフレームに含まれたタイムスロットを形成した複数のサブチャネルのうちのいずれかを制御信号に割り当てる割当部と、を備える。
【０００７】
この態様によると、他の基地局装置によって使用されていないタイムスロットを特定し、特定したタイムスロットに含まれたサブチャネルを制御信号に割り当てるので、制御していない端末装置からの信号による受信特性の悪化を抑制できる。
【０００８】
調査部は、タイムスロットの使用状況の調査として、複数のタイムスロットのそれぞれでの受信電力を測定し、特定部は、使用状況の少ないタイムスロットとして、調査部での測定結果をもとに、受信電力の低いタイムスロットを特定してもよい。この場合、受信電力の低いタイムスロットを特定するので、他の基地局装置によって使用されていないタイムスロットを特定できる。
【０００９】
本発明の別の態様は、割当方法である。この方法は、複数のサブチャネルの周波数多重によってタイムスロットを形成しながら、複数のタイムスロットの時間多重によって形成されたフレームが規定されており、複数のフレームを単位にして、各フレームを形成した複数のタイムスロットのそれぞれの使用状況を調査するステップと、調査した使用状況をもとに、使用状況の少ないタイムスロットを特定するステップと、特定したタイムスロットであって、かつ複数のフレームの間隔にて出現すべきフレームに含まれたタイムスロットを形成した複数のサブチャネルのうちのいずれかを制御信号に割り当てるステップと、を備える。
【００１０】
なお、以上の構成要素の任意の組合せ、本発明の表現を方法、装置、システム、記録媒体、コンピュータプログラムなどの間で変換したものもまた、本発明の態様として有効である。
【発明の効果】
【００１１】
本発明によれば、制御していない端末装置からの信号による受信特性の悪化を抑制できる。
【発明を実施するための最良の形態】
【００１２】
本発明を具体的に説明する前に、まず概要を述べる。本発明の実施例は、基地局装置と、少なくともひとつの端末装置によって構成される通信システムに関する。通信システムにおいて、各フレームは、複数のタイムスロットが時間分割多重されることによって形成され、各タイムスロットは、複数のサブチャネルが周波数分割多重されることによって形成されている。また、各サブチャネルは、マルチキャリア信号によって形成されている。ここで、マルチキャリア信号としてＯＦＤＭ信号が使用されており、周波数分割多重としてＯＦＤＭＡが使用されている。基地局装置は、各タイムスロットに含まれた複数のサブチャネルのそれぞれを端末装置に割り当てることによって、複数の端末装置との通信を実行する。
【００１３】
一方、周波数の有効利用を考慮して、周辺の基地局装置でも同一の周波数バンドが使用される。そのため、同一のタイムスロットの中において、本基地局装置に接続された端末装置と、別の基地局装置に接続された端末装置とが混在する可能性もある。本基地局装置にとって、別の基地局装置に接続された端末装置は制御の対象とならないので、当該端末装置から送信された上り回線の信号の強度が大きすぎたり、周波数オフセットが存在する可能性もある。これは、一般的に、本基地局装置に接続された端末装置から送信された上り回線の信号に対して干渉の影響を与える。その結果、本基地局装置の受信特性が悪化する。
【００１４】
なお、通信システムは、複数のフレームによってスーパーフレームを形成しており、スーパーフレームを単位にして、制御信号にサブチャネルを割り当てる（以下、制御信号を「制御チャネル」ともいう）。制御信号は、通信を確立および維持するために使用される信号であり、重要性が高いといえる。このような制御信号に対しても、前述と同様に、干渉の影響を低減する必要がある。これに対応するために、本実施例に係る基地局装置は、以下の処理を実行する。
【００１５】
基地局装置は、制御チャネルの割当を実行する前、スーパーフレームに含まれた各タイムスロットでの受信電力を測定する。受信電力が多い場合、当該タイムスロットに含まれたサブチャネルの多くは、他の基地局装置によって使用されているといえる。そのため、基地局装置は、受信電力の低いタイムスロットを特定し、特定したタイムスロットに含まれた複数のサブチャネルのいずれかを制御信号に割り当てる。
【００１６】
また、基地局装置は、制御信号の送信後、端末装置から通信開始の要求、つまりサブチャネルの割当要求を受信する。その際、基地局装置は、当該端末装置に対して、制御信号に割り当てたサブチャネルが含まれたタイムスロットのサブチャネルを割り当てる。各基地局装置が、異なったタイムスロットに制御信号を割り当てれば、制御信号間の干渉は小さくなる。また、制御信号を割り当てたタイムスロットに含まれたサブチャネルは、他の基地局装置に使用されにくくなる。その結果、制御信号を割り当てたタイムスロットに含まれたサブチャネルを優先的に使用することによって、当該タイムスロットの中に、別の基地局装置に接続された端末装置が割り当てられにくくなる。
【００１７】
端末装置に割り当てたサブチャネルを含んだタイムスロット内に、別の基地局装置に接続された端末装置が割り当てられている場合、別の基地局装置に接続された端末装置が移動することによって、干渉の影響が大きくなる可能性もある。その際、本基地局装置は、別の基地局装置に対して、端末装置に割り当てたサブチャネルの解放を要求する。また、当該端末装置が、本基地局装置にハンドオーバすると、本基地局装置は、当該端末装置を制御できる。
【００１８】
図１は、本発明の実施例に係る通信システム１００の構成を示す。通信システム１００は、基地局装置１０、端末装置１２と総称される第１端末装置１２ａ、第２端末装置１２ｂ、第３端末装置１２ｃを含む。
【００１９】
基地局装置１０は、一端に無線ネットワークを介して端末装置１２を接続し、他端に図示しない有線ネットワークを接続する。また、端末装置１２は、無線ネットワークを介して基地局装置１０に接続する。基地局装置１０は、複数の端末装置１２に対して通信チャネルを割り当てることによって、複数の端末装置１２との通信を実行する。具体的には、基地局装置１０から送信される制御信号を端末装置１２が受信することによって、端末装置１２は、基地局装置１０の存在を確認する。また、端末装置１２が基地局装置１０に対してチャネル割当の要求信号を送信し、基地局装置１０は、受信した要求信号に応答して、端末装置１２に通信チャネルを割り当てる。
【００２０】
また、基地局装置１０は、端末装置１２に割り当てた通信チャネルに関する情報を送信し、端末装置１２は、割り当てられた通信チャネルを使用しながら、基地局装置１０との通信を実行する。その結果、端末装置１２から送信されたデータは、基地局装置１０を介して、有線ネットワークに出力され、最終的に有線ネットワークに接続された図示しない通信装置に受信される。また、通信装置から端末装置１２への方向にもデータは伝送される。以上の説明において、通信チャネルは、前述のサブチャネルとタイムスロットの組合せによって特定される。また、基地局装置１０は、複数のタイムスロットと、複数のサブチャネルを有しているので、複数のタイムスロットによってＴＤＭＡを実行しつつ、複数のサブチャネルによってＯＦＤＭＡを実行する。
【００２１】
図２（ａ）−（ｃ）は、通信システム１００におけるフレーム構成を示す。図の横方向が時間軸に相当する。フレームは、８つのタイムスロットによって形成されている。また、８つのタイムスロットは、４つの上りタイムスロットと４つの下りタイムスロットから構成されている。ここでは、４つの上りタイムスロットを「第１上りタイムスロット」から「第４上りタイムスロット」として示し、４つの下りタイムスロットを「第１下りタイムスロット」から「第４下りタイムスロット」として示す。また、図示したフレームは、連続して繰り返される。なお、フレームの構成は、図２（ａ）に限定されず、例えば、４つのタイムスロットや１６個のタイムスロットによって構成されてもよいが、ここでは、説明を明瞭にするために、フレームの構成を図２（ａ）として説明する。
【００２２】
また、説明を簡潔にするために、上りのタイムスロットと下りのタイムスロットの構成は、同一であるとする。そのため、上りタイムスロットと下りタイムスロットのいずれかについてのみ説明を行う場合もあるが、他方のタイムスロットも同様の説明が有効である。さらに、図２（ａ）に示されたフレームが複数連続することによって、スーパーフレームが形成される。ここでは、一例として、「２０」個のフレームによって、スーパーフレームが形成されているものとする。
【００２３】
図２（ｂ）は、図２（ａ）のうちのひとつのタイムスロットの構成を示す。図の縦方向が周波数軸に相当する。図示のごとく、ひとつのタイムスロットは、「第１サブチャネル」から「第１６サブチャネル」までの「１６」個のサブチャネルによって形成される。また、これらの複数のサブチャネルは、周波数分割多重されている。各タイムスロットが図２（ｂ）のように構成されているので、タイムスロットとサブチャネルとの組合せによって、前述の通信チャネルが特定される。また、図２（ｂ）のうちのひとつのサブチャネルに対応したフレーム構成が図２（ａ）であるとしてもよい。なお、ひとつのタイムスロットに配置されるサブチャネルの数は、「１６」個でなくてもよい。ここで、上りタイムスロットにおけるサブチャネルの割当と、下りタイムスロットにおけるサブチャネルの割当とは、同一であるものとする。また、スーパーフレームを単位にして、少なくともひとつの制御信号が割り当てられるものとする。例えば、スーパーフレームに含まれた複数の下りタイムスロットのうち、ひとつのタイムスロットのひとつのサブチャネルに制御信号が割り当てられる。また、上り回線も同様である。
【００２４】
図２（ｃ）は、図２（ｂ）のうちのひとつのサブチャネルの構成を示す。図２（ａ）や図２（ｂ）と同様に、図の横方向が時間軸に相当し、図の縦方向が周波数軸に相当する。また、周波数軸に対して、「１」から「２９」の番号を付与しているが、これらは、サブキャリアの番号を示す。このように、サブチャネルは、マルチキャリア信号によって構成されており、特にＯＦＤＭ信号によって構成されている。図中の「ＴＳ」は、トレーニングシンボルに相当し、既知の値によって構成される。また、「ＴＳ」中に制御信号が含まれてもよいものとする。「ＧＳ」は、ガードシンボルに相当し、ここに実質的な信号は配置されない。「ＰＳ」は、パイロットシンボルに相当し、既知の値によって構成される。「ＤＳ」は、データシンボルに相当し、送信すべきデータである。「ＧＴ」は、ガードタイムに相当し、ここに実質的な信号は配置されない。
【００２５】
図３は、通信システム１００におけるサブチャネルの配置を示す。図３では、横軸に周波数軸が示されており、図２（ｂ）に示したタイムスロットに対するスペクトルが示される。ひとつのタイムスロットには、前述のごとく、第１サブチャネルから第１６サブチャネルの１６個のサブチャネルが周波数分割多重されている。各サブチャネルは、マルチキャリア信号、ここでは、ＯＦＤＭ信号によって構成されている。
【００２６】
図４は、基地局装置１０の構成を示す。基地局装置１０は、ＲＦ部２０と総称される第１ＲＦ部２０ａ、第２ＲＦ部２０ｂ、第ＮＲＦ部２０ｎ、ベースバンド処理部２２、変復調部２４、ＩＦ部２６、無線制御部２８、記憶部３０を含む。また、無線制御部２８は、調査部３２、特定部３４、制御チャネル割当部３６、無線リソース割当部３８、測定部４０、指示部４２を含む。また、基地局装置１０は、ネットワーク５０に接続されている。
【００２７】
ＲＦ部２０は、受信処理として、図示しない端末装置１２から受信した無線周波数のマルチキャリア信号に対して周波数変換を実行し、ベースバンドのマルチキャリア信号を生成する。ここで、マルチキャリア信号は、図３のごとく形成されており、また、図２（ａ）の上りタイムスロットに相当する。さらに、ＲＦ部２０は、ベースバンドのマルチキャリア信号をベースバンド処理部２２に出力する。一般的に、ベースバンドのマルチキャリア信号は、同相成分と直交成分によって形成されるので、ふたつの信号線によって伝送されるべきであるが、ここでは、図を明瞭にするためにひとつの信号線だけを示すものとする。また、ＲＦ部２０には、ＡＧＣやＡ／Ｄ変換部も含まれる。
【００２８】
ＲＦ部２０は、送信処理として、ベースバンド処理部２２から入力したベースバンドのマルチキャリア信号に対して周波数変換を実行し、無線周波数のマルチキャリア信号を生成する。さらに、ＲＦ部２０は、無線周波数のマルチキャリア信号を送信する。なお、ＲＦ部２０は、受信したマルチキャリア信号と同一の無線周波数帯を使用しながら、マルチキャリア信号を送信する。つまり、図２（ａ）のごとく、ＴＤＤ（Ｔｉｍｅ  Ｄｉｖｉｓｉｏｎ  Ｄｕｐｌｅｘ）が使用されているものとする。また、ＲＦ部２０には、ＰＡ（Ｐｏｗｅｒ  Ａｍｐｌｉｆｉｅｒ）、Ｄ／Ａ変換部も含まれる。
【００２９】
ベースバンド処理部２２は、受信動作として、複数のＲＦ部２０のそれぞれからベースバンドのマルチキャリア信号を入力する。ベースバンドのマルチキャリア信号は、時間領域の信号であるので、ベースバンド処理部２２は、ＦＦＴによって、時間領域の信号を周波数領域に変換し、周波数領域の信号に対してアダプティブアレイ信号処理を実行する。また、ベースバンド処理部２２は、タイミング同期、つまりＦＦＴのウインドウの設定を実行し、ガードインターバルの削除も実行する。タイミング同期等には、公知の技術が使用されればよいので、ここでは、説明を省略する。ベースバンド処理部２２は、アダプティブアレイ信号処理の結果を変復調部２４へ出力する。ベースバンド処理部２２は、送信動作として、変復調部２４から、周波数領域のマルチキャリア信号を入力し、ウエイトベクトルによる分散処理を実行する。
【００３０】
ベースバンド処理部２２は、送信動作として、変復調部２４から入力した周波数領域のマルチキャリア信号に対して、ＩＦＦＴによって、周波数領域の信号を時間領域に変換し、変換した時間領域の信号をＲＦ部２０へ出力する。また、ベースバンド処理部２２は、ガードインターバルの付加も実行するが、ここでは説明を省略する。ここで、周波数領域の信号は、図２（ｂ）のごとく、複数のサブチャネルを含み、さらにサブチャネルのそれぞれは、図２（ｃ）の縦方向のごとく、複数のサブキャリアを含む。図を明瞭にするために、周波数領域の信号は、サブキャリア番号の順に並べられて、シリアル信号を形成しているものとする。
【００３１】
変復調部２４は、受信処理として、ベースバンド処理部２２からの周波数領域のマルチキャリア信号に対して、復調を実行する。周波数領域に変換したマルチキャリア信号は、図２（ｂ）や（ｃ）のごとく、複数のサブキャリアのそれぞれに対応した成分を有する。また、復調は、サブキャリア単位でなされる。変復調部２４は、復調した信号をＩＦ部２６に出力する。また、変復調部２４は、送信処理として、変調を実行する。変復調部２４は、変調した信号を周波数領域のマルチキャリア信号としてベースバンド処理部２２に出力する。
【００３２】
ＩＦ部２６は、受信処理として、変復調部２４から復調結果を受けつけ、復調結果を端末装置１２単位に分離する。復調結果は、図３のごとく、複数のサブチャネルによって構成されている。そのため、ひとつのサブチャネルがひとつの端末装置１２に割り当てられている場合、復調結果には、複数の端末装置１２からの信号が含まれている。ＩＦ部２６は、このような復調結果を端末装置１２単位に分離する。ＩＦ部２６は、分離した復調結果をネットワーク５０に出力する。その際、ＩＦ部２６は、宛先を識別するための情報、例えば、ＩＰ（Ｉｎｔｅｒｎｅｔ  Ｐｒｏｔｏｃｏｌ）アドレスにしたがって送信を実行する。
【００３３】
また、ＩＦ部２６は、送信処理として、ネットワーク５０から複数の端末装置１２に対するデータを入力する。ＩＦ部２６は、データをサブチャネルに割り当て、複数のサブチャネルからマルチキャリア信号を形成する。つまり、ＩＦ部２６は、図３のごとく、複数のサブチャネルによって構成されるマルチキャリア信号を形成する。なお、データが割り当てられるべきサブチャネルは、図２（ｃ）のごとく予め決められており、それに関する指示は、無線制御部２８から受けつけるものとする。ＩＦ部２６は、マルチキャリア信号を変復調部２４に出力する。
【００３４】
無線制御部２８は、基地局装置１０に含まれた各構成要素の処理を制御する。ここでは、説明を明瞭にするために、無線制御部２８による制御の内容を３つに分けて説明する。３つとは、（１）制御信号の割当、（２）サブチャネルの割当、（３）ハンドオーバ処理である。
【００３５】
（１）制御信号の割当
調査部３２は、スーパーフレーム、つまり「２０」個のフレームを単位にして、各フレームを形成した複数のタイムスロットのそれぞれの使用状況を調査する。つまり、調査部３２は、「２０」個のスーパーフレームに含まれた「８０」個の下りタイムスロットの使用状況を調査する。なお、調査部３２は、「２０」個のスーパーフレームに含まれた「１６０」個の上りタイムスロットおよび下りタイムスロットの使用状況を調査してもよい。ここで、調査部３２は、タイムスロットの使用状況の調査として、ＲＦ部２０において受信した信号の受信電力であって、かつ複数のタイムスロットのそれぞれでの受信電力を測定する。
【００３６】
なお、ＲＦ部２０は、複数備えられているので、調査部３２は、複数のＲＦ部２０のそれぞれにおいて受信した信号の受信電力を測定した後に、測定結果を平均することによって、各タイムスロットに対する受信電力を導出する。また、平均に限らず、ひとつの受信電力の選択やその他の統計処理が実行されてもよい。調査部３２は、調査結果を記憶部３０に記憶する。調査部３２における調査の前提として、無線制御部２８は、予め他の基地局装置１０から送信される制御信号を受信することによって、他の基地局装置１０によって形成されているフレームに同期したフレームを形成する。このような同期処理は、公知の技術によって実現されればよいので、ここでは、説明を省略する。
【００３７】
図５は、記憶部３０に記憶された受信電力の測定結果のデータ構造を示す。図示のごとく、スーパーフレームである「２０」個のフレームのそれぞれに含まれた「４」個の上りタイムスロットの受信電力が記憶されている。なお、調査部３２は、スーパーフレームに含まれた複数のタイムスロットのそれぞれに対する受信電力を複数回数測定し、各タイムスロットに対応した測定結果を平均することによって、当該タイムスロットに対応した受信電力を導出してもよい。前述のごとく、記憶部３０には、下りタイムスロットに対する受信電力が記憶されてもよい。図４に戻る。
【００３８】
特定部３４は、調査部３２において調査した使用状況をもとに、使用状況の少ないタイムスロットを特定する。これは、記憶部３０に記憶された受信電力を参照しながら、受信電力の低いタイムスロットを特定することに相当する。図３のごとく、各タイムスロットは、複数のサブチャネルによって形成されているので、受信電力の低いタイムスロットとは、他の基地局装置１０（図示せず）によって使用されているサブチャネルの数が少ないタイムスロット、あるいは距離の離れた端末装置１２（図示せず）に割り当てられたサブチャネルの含まれたタイムスロットに相当する。また、他の基地局装置１０によって使用される通信チャネルの数の少ないタイムスロットといえる。本実施例においては、他の基地局装置１０によってサブチャネルの割当がなされていないタイムスロットを特定することが望ましい。特定部３４は、特定したタイムスロットに関する情報を制御チャネル割当部３６に出力する。
【００３９】
制御チャネル割当部３６は、制御チャネル割当部３６において特定したタイムスロットであって、かつ「２０」個のフレームの間隔にて出現すべきフレームに含まれたタイムスロットを形成した複数のサブチャネルのうちのいずれかを制御信号に割り当てる。つまり、制御チャネル割当部３６は、スーパーフレームあたりにひとつの制御信号を配置する。ここで、制御チャネル割当部３６は、第１サブチャネルのごとく、予め定められた固定のサブチャネルを選択する。前述のごとく、上り回線におけるサブチャネルの割当と下り回線におけるサブチャネルの割当とは、対称であるとされるので、上りタイムスロットおよび下りタイムスロットに対して、制御信号が割り当てられる。ＲＦ部２０から変復調部２４は、割り当てられた制御信号を送信する。
【００４０】
図６は、制御チャネル割当部３６による制御信号の割当の概要を示す。図の横軸が時間に相当し、複数のフレームが示されている。なお、「ＤＬ」は、下りタイムスロットを示し、「ＵＬ」は、上りタイムスロットを示す。また、最下段に示された「１」、「２」等の数字は、タイムスロットの番号に相当する。図の縦軸が周波数に相当し、図２（ｂ）における「１６」個のサブチャネルのうち、「４」個のサブチャネルが示されている。ここで、最初のフレームの第２下りタイムスロットのうち、ひとつのサブチャネルに「＃１Ｃ」が示されている。「＃１Ｃ」とは、図示しない第１基地局装置１０ａでの制御信号に相当する。当該フレームから「２０」フレーム後のフレームにおいて、第２下りタイムスロットのうちのひとつのサブチャネルに、「＃１Ｃ」が再び割り当てられる。ここで、上りタイムスロットにおける制御信号については、図示を省略する。一方、ふたつ目のフレームの第４下りタイムスロットのうち、ひとつのサブチャネルに「＃２Ｃ」が示されている。「＃２Ｃ」とは、図示しない第２基地局装置１０ｂでの制御信号に相当する。図４に戻る。
【００４１】
（２）サブチャネルの割当
サブチャネルの割当とは、制御信号の割当がなされた後の処理に相当する。前述のごとく、制御チャネル割当部３６は、スーパーフレームあたりにひとつのフレームを特定し、さらに特定したフレームを形成した複数のタイムスロットのうちのいずれかを特定する。さらに、制御チャネル割当部３６は、特定したタイムスロットを形成した複数のサブチャネルのうちのいずれかを制御信号に割り当てる。つまり、制御チャネル割当部３６は、「２０」個のフレームの間隔にて出現すべきフレームにおいて、フレーム中の相対的なタイミングが互いに同一のタイムスロットを特定した後に、特定したタイムスロットを形成した複数のサブチャネルのうちのいずれかを制御信号に割り当てる。ここで、フレーム中の相対的なタイミングが互いに同一のタイムスロットとは、同一のタイムスロット番号によって識別されるタイムスロットに相当する。
【００４２】
図示しない端末装置１２は、基地局装置１０からの制御信号を受信し、基地局装置１０の存在を認識する。また、端末装置１２は、基地局装置１０との接続を希望する場合、基地局装置１０に対して割当要求を送信する。その際、例えば、上りタイムスロットにおける制御チャネルが使用される。無線リソース割当部３８は、ＲＦ部２０等を介して、割当要求を受けつける。無線リソース割当部３８は、制御チャネル割当部３６において特定したタイムスロット、つまり制御信号を割り当てたタイムスロットのうち、制御信号を割り当てたサブチャネル以外のサブチャネルを端末装置１２に優先的に割り当てる。
【００４３】
すなわち、制御信号を割り当てたタイムスロットに、空きのサブチャネルが存在すれば、無線リソース割当部３８は、当該サブチャネルを端末装置１２に割り当てる。前述のごとく、制御信号が割り当てられたタイムスロットは、スーパーフレームあたりにひとつだけ存在する。そのため、割り当てたサブチャネルだけでは、端末装置１２の希望する伝送レートを満足できない可能性がある。これに対応するため、無線リソース割当部３８は、次の処理をさらに実行する。
【００４４】
無線リソース割当部３８は、「２０」個のフレームの間隔よりも短いフレームの間隔にて出現すべきフレームにおいて、フレーム中の相対的なタイミングが、制御信号を割り当てたタイムスロットと同一のタイムスロットを特定する。例えば、「２」個、「４」個等のフレーム間隔において出現すべきフレームが特定される。また、図６においては、第２タイムスロットに制御信号が割り当てられているので、無線リソース割当部３８は、特定したフレームのうち、第２タイムスロットを特定する。以下の説明を明瞭にするために、ここでは、上記のごとく特定したタイムスロット、および制御信号を割り当てたタイムスロットとを「管理スロット」と呼ぶ。最終的に、無線リソース割当部３８は、管理スロットを形成した複数のサブチャネルのそれぞれを端末装置１２に優先的に割り当てる。
【００４５】
制御チャネルは、各基地局装置１０によって必ず割り当てられており、それらは、一般的に、基地局装置１０間において衝突が起こらないように割り当てられる。このような状況にもとづき、ここでは、制御チャネルを基準にして、管理スロットを定義し、管理スロット内のサブチャネルの資源管理を行う。また、要求される伝送レートに応じてサブチャネルを割り当てる場合、制御チャネルが含まれたフレームから、所定数の間隔のフレームに含まれたタイムスロットが割り当て対象にされる。ここで、所定数の間隔は、スーパーフレームの間隔よりも短くなるように規定される。このようなタイムスロットも管理チャネルとされる。つまり、要求される伝送レートに応じて、割り当てるべきタイムロットの数に対して、数段階の割当方が規定される。そのため、割り当て方を変更する際に、再割り当てしなければならないサブチャネルが少なくてすむ。
【００４６】
図７は、無線リソース割当部３８による割当の概要を示す。図７の横軸、縦軸、および最下段の数字、「＃１Ｃ」、「＃２Ｃ」の表示は、図６と同様であるので、ここでは、説明を省略する。制御信号が割り当てられたサブチャネルを含んだフレームに、管理スロット２００、管理スロット２０２、管理スロット２１２、管理スロット２１４が設けられる。また、一例として、制御信号が割り当てられたサブチャネルを含んだフレームから「２」個のフレーム間隔に、管理スロット２０８、管理スロット２１０が設けられる。なお、いずれかの管理スロットも第２タイムスロットを使用する。無線リソース割当部３８は、これらの管理スロットに含まれたサブチャネルを端末装置１２に割り当てる。一方、各基地局装置１０は、管理スロットを設ける。図７では、他の基地局装置１０によって設けられた管理スロットを他スロット２０４、他スロット２０６、他スロット２１６、他スロット２１８と示す。図４に戻る。
【００４７】
無線リソース割当部３８は、管理スロットを形成した複数のサブチャネルのいずれかに対して、他の基地局装置１０による割当がなされていれば、管理タイムスロットと同一のフレーム内の別のタイムスロットを再度特定する。ここでの管理スロットとは、制御信号が割り当てられていない管理スロットに相当する。例えば、管理スロットが既に他の基地局装置１０の管理下にある場合には、同一のフレーム内で、どの基地局装置１０の管理下にもなっていないタイムスロットが特定される。また、特定されたタイムスロットが、当該フレーム内での管理スロットとされる。なお、無線リソース割当部３８は、スーパーフレームを単位にして、管理スロットの設定を行う。そのため、所定のフレームにおいて管理スロットの移動を行った場合、次回以降のスーパーフレームにおいて、移動した管理スロットが含まれたフレームと相対的に同一のタイミングのフレームにて、無線リソース割当部３８は、管理スロットを移動させる。
【００４８】
ひとつのタイムスロット内のサブチャネルが、ひとつの基地局装置１０によって管理されることによって、送信電力制御が効果的に働くようになる。なお、管理スロットを移動させた場合、無線リソース割当部３８は、制御信号、既に割り当てたサブチャネルにおいて、移動を端末装置１２に通知する。また、このような通知を確認するため、タイムスロットの割当を検出した後、無線リソース割当部３８は、スーパーフレームの期間経過後に、管理スロットの移動を実行すればよい。
【００４９】
その際、無線リソース割当部３８は、管理タイムスロットと同一のフレーム内の別のタイムスロットのそれぞれに対して、割当状況を調査し、調査結果に応じてタイムスロットを再度特定する。なお、割当状況、つまり他の基地局装置１０の管理下にあるタイムスロットであるかは、次のように識別される。無線リソース割当部３８は、すべての上りタイムスロット、あるいは上りタイムスロットに含まれたすべてのサブチャネルを観測する。ここで、観測は、受信電力の測定によって実現される。また、無線リソース割当部３８は、受信電力がしきい値を超えなかった場合に、当該タイムスロットあるいはサブチャネルが空いていると決定する。これは、レンジングマップを作成するため必須の機能、つまりＴＣＨモニタとして備えられており、当該機能の利用に相当する。また、無線リソース割当部３８は、すべてのサブチャネルが空きであると決定したスロットを、空き管理スロットと結論づける。一方、少なくともひとつのサブチャネルが使用されているタイムスロットは、他の基地局装置１０によって既に管理されていると結論づけられる。
【００５０】
なお、フレーム内のすべてのタイムスロットが別の基地局装置１０によって割り当てられている場合あるいは管理されている場合に、無線リソース割当部３８は、下りタイムスロットにおける制御信号の受信電力を測定し、受信電力が最小となるタイムスロットを副管理スロットとし、その中のサブチャネルを割り当ててもよい。このようなタイムスロットは、本基地局装置１０から比較的離れた距離に設置された別の基地局装置１０の管理下にあるタイムスロットであるといえる。そのため、無線リソース割当部３８によってサブチャネルを割り当てられた基地局装置１０の上り信号が別の基地局装置１０に影響は低減される。
【００５１】
図８は、無線リソース割当部３８による割当の別の概要を示す。図８の横軸、縦軸、および最下段の数字、「＃１Ｃ」、「＃２Ｃ」の表示は、図６と同様であるので、ここでは、説明を省略する。また、図８では、図７と同様に、管理スロット２４０、管理スロット２４２が設定される。しかしながら、これらの管理スロットが配置されたフレームよりふたつ後段のフレームにおいて、他スロット２４８は、他の基地局装置１０に既に使用されている。さらに、他スロット２４８につづく他スロット２５０も既に使用されている。そこで、無線リソース割当部３８は、第１下りタイムスロットを管理スロット２４６として設定する。その際、無線リソース割当部３８は、これまで割り当てていたサブチャネル、例えば、第３サブチャネルと同一のサブチャネルを端末装置１２に割り当てる。また、無線リソース割当部３８は、本フレームの上り回線に対しても下り回線と対称になるように、管理スロット２５２を設定する。
【００５２】
さらに後段のフレームにおいて、他スロット２５４から他スロット２８４が他の基地局装置１０に既に使用されている。その際、無線リソース割当部３８は、端末装置１２に割り当てるべきタイムスロットを第１下りタイムスロットに移動させる。また、第１下りタイムスロットにおける第３サブチャネルも既に使用されていた場合、無線リソース割当部３８は、第４サブチャネルを端末装置１２に割り当てる。上り回線についても同様である。図４に戻る。
【００５３】
無線リソース割当部３８は、管理スロットを設定した後、設定したタイムスロットと同一のフレーム内に、割当がなされていないタイムスロットが発生すれば、当該フレームにおいて、割当がなされていないタイムスロットを再度特定する。また、無線リソース割当部３８は、再度特定したタイムスロットを管理スロットに設定する。つまり、移動させた管理スロットと同一フレーム内において、管理されていない空きタイムスロットが発生した場合に、無線リソース割当部３８は、当該タイムスロットを管理スロットとして確保する。
【００５４】
（３）ハンドオーバ処理
無線リソース割当部３８は、前述のごとく、タイムスロットを形成した複数のサブチャネルであって、かつ周波数多重がなされた複数のサブチャネルのうち、少なくともひとつを端末装置１２に割り当てる。
【００５５】
測定部４０は、端末装置１２に割り当てたサブチャネル以外のサブチャネルに割り当てられた別の端末装置１２であって、かつ図示しない他の基地局装置１０によってサブチャネルが割り当てられた別の端末装置１２からの信号の受信電力を測定する。つまり、測定部４０は、ＲＦ部２０において受信した信号、およびベースバンド処理部２２から出力されるサブチャネル単位の信号をもとに、通信していない端末装置１２から受信した信号の電力を測定する。なお、測定部４０において受信した別の端末装置１２からの信号には、信号の宛先となる他の基地局装置１０に関する情報が含まれている。測定部４０は、当該情報を指示部４２へ出力する。
【００５６】
指示部４２は、測定部４０において測定した受信電力がしきい値よりも大きくなれば、別の端末装置１２に割り当てられたサブチャネルの解放を指示する。指示の処理について、ここでは、さらに詳しく説明する。ＩＦ部２６は、ネットワーク５０を介して、図示しない他の基地局装置１０と接続する。指示部４２は、測定部４０において測定した受信電力がしきい値よりも大きくなったと判定した後、測定部４０において受信した信号に含まれた情報を参照することによって、他の基地局装置１０を特定する。指示部４２は、ＩＦ部２６、ネットワーク５０を介して、特定した他の基地局装置１０へ、別の端末装置１２を解放する旨の要求を出力する。なお、別の端末装置１２の特定は、別の端末装置１２に割り当てられたタイムスロット、サブチャネルを特定することによってなされる。
【００５７】
ネットワーク５０を介して要求を受けつけた他の基地局装置１０は、指示に含まれたタイムスロットおよびサブチャネルの情報をもとに、別の端末装置１２を特定する。また、他の基地局装置１０は、特定した別の端末装置１２に割り当てたサブチャネルを解放する。なお、解放の処理は、公知の技術にて実現されればよいので、ここでは、説明を省略する。サブチャネルが解放された端末装置１２は、新たな接続先である基地局装置１０を検知し、検知した基地局装置１０へハンドオーバを実行する。
【００５８】
つまり、指示部４２は、他の基地局装置１０の管理下にある端末装置１２からの受信電力が大きくなった場合に、当該端末装置１２を本基地局装置１０にハンドオーバを実行させる。その結果、ひとつの基地局装置１０が、ひとつのタイムスロット内のサブチャネルを管理することによって、送信電力制御が効果的に働く。
【００５９】
図９（ａ）−（ｃ）は、指示部４２における処理の概要を示す。図９（ａ）は、ハンドオーバ処理を説明するための通信システム１００の構成例を示す。基地局装置１０として、第１基地局装置１０ａと第２基地局装置１０ｂとが設置されており、第１基地局装置１０ａが第１エリア７０を形成し、第２基地局装置１０ｂが第２エリア７２を形成する。また、第２端末装置１２ｂと第５端末装置１２ｅも図示されており、初期の状態において、第２端末装置１２ｂは、第２基地局装置１０ｂに接続され、第５端末装置１２ｅは、第１基地局装置１０ａに接続されているものとする。さらに、第２端末装置１２ｂは、矢印の方向に、つまり第２基地局装置１０ｂから第１基地局装置１０ａの方向に移動している。
【００６０】
図９（ｂ）は、初期の状態におけるタイムスロット、サブチャネルの割当を示す。ここでは、上りタイムスロットを説明の対象にする。第２上りタイムスロットが図９（ａ）の第１基地局装置１０ａの管理スロットであるとする。また、管理スロットの第３サブチャネルに示された「２」は、図９（ａ）に示された第２端末装置１２ｂに相当し、「５」は、図９（ａ）に示された第５端末装置１２ｅに相当する。また、他のタイムスロットにおける「１」、「３」、「４」は、図９（ａ）に示されていない第１端末装置１２ａ、第３端末装置１２ｃ、第４端末装置１２ｄに相当するが、ここでは、これらに関する説明を省略する。図９（ｂ）の状態において、第１基地局装置１０ａは、第５端末装置１２ｅの送信電力を制御できるが、第２端末装置１２ｂの送信電力を制御できない。そのため、第２端末装置１２ｂから受信した信号が干渉となるおそれがある。
【００６１】
図９（ｃ）は、図９（ｂ）につづく状態でのタイムスロット、サブチャネルの割当を示す。これは、図９（ａ）において、第２端末装置１２ｂが、第２基地局装置１０ｂから第１基地局装置１０ａにハンドオーバした状態に相当する。図示のごとく、第１基地局装置１０ａは、第２端末装置１２ｂに対して第２サブチャネルを割り当てる。また、第１基地局装置１０ａは、第２端末装置１２ｂの送信電力も制御できる。
【００６２】
図１０は、通信システム１００における受信電力の概要を示す。ここで、説明を明確にするために、ハンドオーバ前に送信電力制御はなされていないものとする。図１０は、図９（ａ）のごとく、第２端末装置１２ｂが移動する場合を想定しており、その際の第１基地局装置１０ａと第２基地局装置１０ｂでの受信電力を示す。横軸には時間が示されており、縦軸には受信電力が示される。また、受信電力に対応した信号の送信方向は、図の左側に示されており、例えば、「第２端末装置→第２基地局装置」は、第２端末装置１２ｂから第２基地局装置１０ｂへ送信される信号に相当する。第２端末装置１２ｂは、第２基地局装置１０ｂから第１基地局装置１０ａの方向に移動しているので、第２基地局装置１０ｂにおける受信電力は、時間の経過とともに小さくなっていき、第１基地局装置１０ａにおける受信電力は、時間の経過とともに大きくなっていく。
【００６３】
一方、第５端末装置１２ｅは、移動していないので、ほぼ一定の受信電力となる。なお、第１基地局装置１０ａにおける第２端末装置１２ｂからの受信電力が大きくなると、第１基地局装置１０ａは、第２端末装置１２ｂからの受信電力の増加に合わせて、第５端末装置１２ｅの送信電力を上げることによってバランスを保とうとしてもよい。また、第１基地局装置１０ａにおける第２端末装置１２ｂからの受信電力が大きくなると、前述のごとく、第１基地局装置１０ａは、第２基地局装置１０ｂに対して、第２端末装置１２ｂをハンドオーバさせるように要求する。第２端末装置１２ｂが第１基地局装置１０ａにハンドオーバすることによって、第１基地局装置１０ａは、第２端末装置１２ｂの送信電力を制御できる。そのため、太線で示したように、第１基地局装置１０ａにおける第２基地局装置１０ｂからの受信電力は、一定の値に近づく。
【００６４】
図１１は、通信システム１００における受信電力の別の概要を示す。図１１は、図１０に対して、ハンドオーバ前の送信電力制御を考慮した場合に相当する。図１１の点線が、送信電力制御を実行していない場合であり、図１０と同様である。また、図１１の実線が、送信電力制御を実行する場合である。第１基地局装置１０ａは、第２基地局装置１０ｂに対して、ハンドオーバの実行を要求するので、第２基地局装置１０ｂは、図示のごとく、第２端末装置１２ｂからの受信電力がハンドオーバしきい値に達していなくても、ハンドオーバを実行させる。なお、ハンドオーバ先のタイムスロットは、それまで通信に使用しているタイムスロットと同一のタイムスロットを原則使用する。
【００６５】
この構成は、ハードウエア的には、任意のコンピュータのＣＰＵ、メモリ、その他のＬＳＩで実現でき、ソフトウエア的にはメモリにロードされた通信機能のあるプログラムなどによって実現されるが、ここではそれらの連携によって実現される機能ブロックを描いている。したがって、これらの機能ブロックがハードウエアのみ、ソフトウエアのみ、またはそれらの組合せによっていろいろな形で実現できることは、当業者には理解されるところである。
【００６６】
以上の構成による通信システム１００の動作を説明する。図１２は、基地局装置１０における制御信号の割当手順を示すフローチャートである。調査部３２は、スーパーフレームにわたって、タイムスロットでの受信電力を測定する（Ｓ１０）。測定が終了しなければ（Ｓ１２のＮ）、ステップ１０に戻る。測定が終了すれば（Ｓ１２のＹ）、特定部３４は、受信電力の低いタイムスロットを選択する（Ｓ１４）。制御チャネル割当部３６は、選択したタイムスロットに制御信号を割り当てる（Ｓ１６）。
【００６７】
図１３は、基地局装置１０における割当手順を示すフローチャートである。制御チャネル割当部３６による制御信号の割当が終了していなければ（Ｓ３０のＮ）、無線リソース割当部３８は、待機する。一方、制御チャネル割当部３６による制御信号の割当が終了していれば（Ｓ３０のＹ）、無線リソース割当部３８は、管理スロットを設定する（Ｓ３２）。管理スロット内に他の基地局装置１０によって割り当てられたサブチャネルが存在する場合（Ｓ３４のＹ）、同一フレーム中に割り当てられていないタイムスロットが存在すれば（Ｓ３８のＹ）、無線リソース割当部３８は、当該タイムスロットを使用する（Ｓ４０）。一方、同一フレーム中に割り当てられていないタイムスロットが存在しなければ（Ｓ３８のＮ）、無線リソース割当部３８は、受信電力の低いタイムスロットを使用する（Ｓ４２）。
【００６８】
管理スロット内に他の基地局装置１０によって割り当てられたサブチャネルが存在しない場合（Ｓ３４のＮ）、空きサブチャネルがあれば（Ｓ３６のＹ）、無線リソース割当部３８は、空きサブチャネルを使用する（Ｓ４４）。一方、空きサブチャネルがない場合（Ｓ３６のＮ）、同一フレーム中に割り当てられていないタイムスロットが存在すれば（Ｓ３８のＹ）、無線リソース割当部３８は、当該タイムスロットを使用する（Ｓ４０）。一方、同一フレーム中に割り当てられていないタイムスロットが存在しなければ（Ｓ３８のＮ）、無線リソース割当部３８は、受信電力の低いタイムスロットを使用する（Ｓ４２）。
【００６９】
図１４は、基地局装置１０におけるタイムスロットの移動手順を示すフローチャートである。タイムスロット内に他の基地局装置１０によって割り当てられたサブチャネルが存在し（Ｓ６０のＹ）、同一フレーム内に使用されていないタイムスロットが存在する場合（Ｓ６２のＹ）、無線リソース割当部３８は、当該タイムスロットへの管理スロットを移動させる（Ｓ６４）。タイムスロット内に他の基地局装置１０によって割り当てられたサブチャネルが存在しない場合（Ｓ６０のＮ）、あるいは同一フレーム内に使用されていないタイムスロットが存在しない場合（Ｓ６２のＮ）、処理は終了される。
【００７０】
図１５は、通信システム１００におけるハンドオーバ手順を示すシーケンス図である。第２端末装置１２ｂと第２基地局装置１０ｂとは、通信を実行する（Ｓ８０）。また、第２端末装置１２ｂから第２基地局装置１０ｂへ送信された信号が第１基地局装置１０ａに到達することによって、第２端末装置１２ｂは、第１基地局装置１０ａに干渉を及ぼす（Ｓ８２）。第１基地局装置１０ａは、干渉電力が増大すると（Ｓ８４）。第２端末装置１２ｂの解放を指示する（Ｓ８６）。指示は、第１基地局装置１０ａから第２基地局装置１０ｂに伝えられる（Ｓ８８）。第２基地局装置１０ｂは、指示を受けつけると（Ｓ９０）、第２端末装置１２ｂを解放する（Ｓ９２）。第２端末装置１２ｂは、第１基地局装置１０ａに対してハンドオーバを要求する（Ｓ９４）。第２端末装置１２ｂと第１基地局装置１０ａとは、通信を実行する（Ｓ９６）。
【００７１】
本発明の実施例によれば、他の基地局装置によって使用されていないタイムスロットを特定し、特定したタイムスロットに含まれたサブチャネルを制御信号に割り当てるので、制御していない端末装置からの信号による受信特性の悪化を抑制できる。また、受信電力の低いタイムスロットを特定するので、他の基地局装置によって使用されていないタイムスロットを特定できる。
【００７２】
制御信号に割り当てたサブチャネルが含まれたタイムスロットを管理スロットとし、管理スロットのサブチャネルを端末装置に優先的に割り当てるので、管理スロット内に、他の基地局装置と通信している端末装置を含まれにくくできる。また、他の基地局装置と通信している端末装置を含まれにくくするので、制御していない端末装置からの信号による受信特性の悪化を抑制できる。また、制御信号を割り当てていないタイムスロットも管理スロットとし、このような管理スロット内のサブチャネルを端末装置に割り当てるので、当該端末装置に対する伝送レートを向上できる。
【００７３】
また、管理スロットにおいて、他の基地局装置による割当がなされていれば、管理スロットと同一のフレーム内の別のタイムスロットを管理スロットに再度特定するので、制御していない端末装置からの信号による受信特性の悪化を抑制できる。また、受信電力に応じて管理スロットを再度特定するので、制御していない端末装置からの信号による受信特性の悪化を抑制できる。また、割当がなされていないタイムスロットが発生したときに、当該タイムスロットを管理スロットに再度特定するので、制御していない端末装置からの信号による受信特性の悪化を抑制できる。
【００７４】
また、端末装置を割り当てたタイムスロット内に、他の基地局装置によって割り当てられた別の端末装置が存在し、別の端末装置からの信号の受信電力が大きくなれば、別の端末装置に割り当てられたサブチャネルの解放を指示するので、制御していない端末装置からの信号による受信特性の悪化を抑制できる。また、ネットワークを介して他の基地局装置へ解放の要求を出力するので、サブチャネルの解放を確実に指示できる。また、別の端末装置を本基地局装置へハンドオーバさせることを要求するので、制御していない端末装置からの信号による受信特性の悪化を抑制できる。
【００７５】
以上、本発明を実施例をもとに説明した。この実施例は例示であり、それらの各構成要素や各処理プロセスの組合せにいろいろな変形例が可能なこと、またそうした変形例も本発明の範囲にあることは当業者に理解されるところである。
【００７６】
本発明の実施例において、無線リソース割当部３８は、割当状況、つまり他の基地局装置１０の管理下にあるタイムスロットであるかを特定するために、上りタイムスロットの受信電力を測定する。しかしながらこれに限らず例えば、無線リソース割当部３８は、ＩＦ部２６を介して、他の基地局装置１０との間で管理スロットの情報を定期的に交換してもよい。本変形例によれば、他の基地局装置１０の管理下にあるタイムスロットであるかを確実に特定できる。
【００７７】
本実施例において、指示部４２は、ＩＦ部２６を介して、他の基地局装置１０に対して、別の端末装置１２を解放する旨の要求を出力する。しかしながらこれに限らず例えば、指示部４２は、別の端末装置１２を解放する旨の要求に加えて、別の端末装置１２を本基地局装置１０へハンドオーバさせる旨の要求も出力してもよい。他の基地局装置１０は、要求に応じて、端末装置１２にハンドオーバ先を指定しながら、別の端末装置１２との接続を切断する。本変形例によれば、ハンドオーバを確実に実行できる。
【００７８】
本実施例において、調査部３２は、受信した信号の受信電力を測定し、特定部３４は、使用状況の少ないタイムスロットとして、受信電力の低いタイムスロットを特定している。しかしながらこれに限らず例えば、調査部３２は、受信した信号に対する受信電力対干渉電力比を測定してもよい。また、調査部３２は、受信電力対干渉電力比に限られず、受信した信号に含まれた有効な信号成分の量を測定してもよい。なお、これらの測定には、公知の技術が使用されればよい。さらに、特定部３４は、使用状況の少ないタイムスロットとして、受信電力対干渉電力比の低いタイムスロットを特定する。本変形例によれば、受信電力がほぼ等しい場合であっても、受信電力対干渉電力比の低いタイムスロットを選択でき、他の基地局装置１０の管理下にあるタイムスロットであるかを特定できる。
【００７９】
なお、本発明の実施例は、以下の項目によって特定されてもよい。
（項目１−１）
複数のサブチャネルの周波数多重によってタイムスロットを形成しながら、複数のタイムスロットの時間多重によって形成されたフレームが規定されており、所定のフレームを形成した複数のタイムスロットのうちのいずれかを特定した後に、特定したタイムスロットを形成した複数のサブチャネルのうちのいずれかを制御信号に割り当てる第１割当部と、
前記第１割当部において特定したタイムスロットのうち、制御信号に割り当てたサブチャネル以外のサブチャネルを端末装置に優先的に割り当てる第２割当部と、
を備えることを特徴とする基地局装置。
【００８０】
（項目１−２）
前記第１割当部は、複数のフレームの間隔にて出現すべきフレームにおいて、フレーム中の相対的なタイミングが互いに同一のタイムスロットを特定した後に、特定したタイムスロットを形成した複数のサブチャネルのうちのいずれかを制御信号に割り当て、
前記第２割当部は、前記複数のフレームの間隔よりも短いフレームの間隔にて出現すべきフレームにおいて、フレーム中の相対的なタイミングが、前記第１割当部が特定したタイムスロットと同一のタイムスロットを特定した後に、特定したタイムスロットを形成した複数のサブチャネルのそれぞれを端末装置に優先的に割り当てることを特徴とする（項目１−１）に記載の基地局装置。
【００８１】
（項目１−３）
前記第２割当部は、特定したタイムスロットを形成した複数のサブチャネルのいずれかに対して、他の基地局装置による割当がなされていれば、特定したタイムスロットと同一のフレーム内の別のタイムスロットを再度特定することを特徴とする（項目１−２）に記載の基地局装置。
【００８２】
（項目１−４）
前記第２割当部は、特定したタイムスロットと同一のフレーム内の別のタイムスロットのそれぞれに対して、割当状況を調査し、調査結果に応じてタイムスロットを再度特定することを特徴とする（項目１−３）に記載の基地局装置。
【００８３】
（項目１−５）
前記第２割当部は、タイムスロットを特定した後、特定したタイムスロットと同一のフレーム内に、割当がなされていないタイムスロットが発生すれば、当該タイムスロットを再度特定することを特徴とする（項目１−３）または（項目１−４）に記載の基地局装置。
【００８４】
（項目１−６）
複数のサブチャネルの周波数多重によってタイムスロットを形成しながら、複数のタイムスロットの時間多重によって形成されたフレームが規定されており、所定のフレームを形成した複数のタイムスロットのうちのいずれかを特定した後に、特定したタイムスロットを形成した複数のサブチャネルのうちのいずれかを制御信号に割り当てるステップと、
特定したタイムスロットのうち、制御信号に割り当てたサブチャネル以外のサブチャネルを端末装置に優先的に割り当てるステップと、
を備えることを特徴とする割当方法。
【００８５】
（項目１−７）
複数のサブチャネルの周波数多重によってタイムスロットを形成しながら、複数のタイムスロットの時間多重によって形成されたフレームが規定されており、所定のフレームを形成した複数のタイムスロットのうちのいずれかを特定した後に、特定したタイムスロットを形成した複数のサブチャネルのうちのいずれかを制御信号に割り当てるステップと、
特定したタイムスロットのうち、制御信号に割り当てたサブチャネル以外のサブチャネルを端末装置に優先的に割り当てるステップと、
をコンピュータに実行させるプログラム。
【００８６】
（項目２−１）
タイムスロットを形成した複数のサブチャネルであって、かつ周波数多重がなされた複数のサブチャネルのうち、少なくともひとつを端末装置に割り当てる割当部と、
前記割当部が端末装置に割り当てたサブチャネル以外のサブチャネルに割り当てられた別の端末装置であって、かつ他の基地局装置によってサブチャネルが割り当てられた別の端末装置からの信号の受信電力を測定する測定部と、
前記測定部において測定した受信電力が大きくなれば、別の端末装置に割り当てられたサブチャネルの解放を指示する指示部と、
を備えることを特徴とする基地局装置。
【００８７】
（項目２−２）
有線ネットワークを介して他の基地局装置と接続する接続部をさらに備え、
前記測定部において受信した別の端末装置からの信号には、信号の宛先となる他の基地局装置に関する情報が含まれており、
前記指示部は、前記測定部において受信した信号に含まれた情報をもとに、他の基地局装置を特定し、前記接続部を介して他の基地局装置へ、別の端末装置を解放する旨の要求を出力することを特徴とする（項目２−１）に記載の基地局装置。
【００８８】
（項目２−３）
前記指示部は、別の端末装置を解放する旨の要求に加えて、別の端末装置を本基地局装置へハンドオーバさせる旨の要求も出力することを特徴とする（項目２−２）に記載の基地局装置。
【００８９】
（項目２−４）
タイムスロットを形成した複数のサブチャネルであって、かつ周波数多重がなされた複数のサブチャネルのうち、少なくともひとつを端末装置に割り当てるステップと、
端末装置に割り当てられたサブチャネル以外のサブチャネルに割り当てられた別の端末装置であって、かつ他の基地局装置によってサブチャネルが割り当てられた別の端末装置からの信号の受信電力を測定するステップと、
測定した受信電力が大きくなれば、別の端末装置に割り当てられたサブチャネルの解放を指示するステップと、
を備えることを特徴とする割当方法。
【００９０】
（項目２−５）
タイムスロットを形成した複数のサブチャネルであって、かつ周波数多重がなされた複数のサブチャネルのうち、少なくともひとつを端末装置に割り当てるステップと、
端末装置に割り当てられたサブチャネル以外のサブチャネルに割り当てられた別の端末装置であって、かつ他の基地局装置によってサブチャネルが割り当てられた別の端末装置からの信号の受信電力を測定するステップと、
測定した受信電力が大きくなれば、別の端末装置に割り当てられたサブチャネルの解放を指示するステップと、
をコンピュータに実行させるプログラム。
【図面の簡単な説明】
【００９１】
【図１】本発明の実施例に係る通信システムの構成を示す図である。
【図２（ａ）】図１の通信システムにおけるフレーム構成を示す図である。
【図２（ｂ）】図１の通信システムにおけるフレーム構成を示す図である。
【図２（ｃ）】図１の通信システムにおけるフレーム構成を示す図である。
【図３】図１の通信システムにおけるサブチャネルの配置を示す図である。
【図４】図１の基地局装置の構成を示す図である。
【図５】図４の記憶部に記憶された受信電力の測定結果のデータ構造を示す図である。
【図６】図４の制御チャネル割当部による制御信号の割当の概要を示す図である。
【図７】図４の無線リソース割当部による割当の概要を示す図である。
【図８】図４の無線リソース割当部による割当の別の概要を示す図である。
【図９】図９（ａ）−（ｃ）は、図４の指示部における処理の概要を示す図である。
【図１０】図９（ａ）の通信システムにおける受信電力の概要を示す図である。
【図１１】図９（ａ）の通信システムにおける受信電力の別の概要を示す図である。
【図１２】図４の基地局装置における制御信号の割当手順を示すフローチャートである。
【図１３】図４の基地局装置における割当手順を示すフローチャートである。
【図１４】図４の基地局装置におけるタイムスロットの移動手順を示すフローチャートである。
【図１５】図９（ａ）の通信システムにおけるハンドオーバ手順を示すシーケンス図である。
【符号の説明】
【００９２】
１０  基地局装置、  １２  端末装置、  ２０  ＲＦ部、  ２２  ベースバンド処理部、  ２４  変復調部、  ２６  ＩＦ部、  ２８  無線制御部、  ３０  記憶部、  ３２  調査部、  ３４  特定部、  ３６  制御チャネル割当部、  ３８  無線リソース割当部、  ４０  測定部、  ４２  指示部、  ５０  ネットワーク、  １００  通信システム。
【図１】
2008227769.tif 000003
【図２（ａ）】
2008227769.tif 000004
【図２（ｂ）】
2008227769.tif 000005
【図２（ｃ）】
2008227769.tif 000006
【図３】
2008227769.tif 000007
【図４】
2008227769.tif 000008
【図５】
2008227769.tif 000009
【図６】
2008227769.tif 000010
【図７】
2008227769.tif 000011
【図８】
2008227769.tif 000012
【図９】
2008227769.tif 000013
【図１０】
2008227769.tif 000014
【図１１】
2008227769.tif 000015
【図１２】
2008227769.tif 000016
【図１３】
2008227769.tif 000017
【図１４】
2008227769.tif 000018
【図１５】
2008227769.tif 000019